(57)【特許請求の範囲】
【請求項１】
着用者の前後方向に相当する縦方向とこれに直交する横方向とを有し、液保持性の吸収体を具備する吸収性本体と、該吸収性本体の非肌対向面側に配されてこれを固定している外装体とを備え、前身頃及び後身頃それぞれにおける該外装体の縦方向に沿う両側縁部どうしが接合されて一対のサイドシール部、ウエスト開口部及び一対のレッグ開口部が形成されている使い捨て着用物品であって、
前記外装体は、着用者の身体から相対的に遠い側に位置する外層シートと、着用者の身体に相対的に近い側に位置する第１内層シートと、該外層シート及び該第１内層シートの間に位置する第２内層シートとを含んで構成され、
前記第１及び第２内層シートは、前記前身頃及び前記後身頃のうちの少なくとも一方における少なくとも胴回り部に配置されており、
前記外層シートは、前記第１及び第２内層シートの縦方向の端縁よりも、縦方向の外方に延出した延出部位を有するとともに、該延出部位が前記ウエスト開口部の開口縁で折り返され、折り返された該延出部位が該第１内層シートと接合されており、
前記外層シートは、溶融したエラストマー樹脂を２枚の不織布の間にストランド状又はシート状に供給し、これらを一体化して複合シート材料を形成し、該複合シート材料を一対の歯溝ロール間に噛み込ませて、前記エラストマー樹脂の供給方向と同方向に延伸させて得られたものであり、伸長可能な２枚の繊維シート間に、エラストマー樹脂からなるストランド又はフィルムが非伸長状態で配置固定された伸縮性シートからなり、
前記第１内層シートと前記第２内層シートとの間に、横方向に延びる弾性部材が配置されており、該弾性部材は伸長状態で両内層シートに固定され、それによって、該第１内層シートと、該第２内層シートと、該弾性部材とを有する複合弾性シートが前記胴周り部に形成されており、
前記第２内層シートと前記外層シートとは、前記サイドシール部において接合されているとともに、前記弾性部材が配された領域においては非接合状態になっており、
自然状態において、前記外層シートのうち、一対の前記サイドシール部の内端間の長さをＬ１とし、
自然状態において、前記複合弾性シートのうち、一対の前記サイドシール部の内端間において前記弾性部材が存在している部分の長さをＬ２としたとき、Ｌ１がＬ２と同じか又はＬ２がＬ１よりも短くなっている、使い捨て着用物品。
【請求項２】
前記外層シートの単位幅当たりの１．５倍伸長時応力Ｓ１が、前記複合弾性シートの単位幅当たりの１．５倍伸長時応力Ｓ２と同じか又はＳ２がＳ１よりも高くなっている請求項１に記載の使い捨て着用物品。
【請求項３】
前記第１内層シートの縦方向の長さが、前記第２内層シートの縦方向の長さよりも短く、
前記第２内層シートが前記前身頃から前記後身頃までにわたって縦方向に延びている請求項１又は２に記載の使い捨て着用物品。
【請求項４】
前記外層シートは、腹側部を構成する腹側外層シートと、背側部を構成する背側外層シートと、両シート間に位置して股下部を構成する股下外層シートとを含んで構成され、前記腹側外層シートと前記背側外層シートとが前記伸縮性シートからなり、前記股下外層シートは伸縮性を有しておらず非伸縮性である請求項１ないし３のいずれか一項に記載の使い捨て着用物品。
【請求項５】
前記複合弾性シートが、前記使い捨て着用物品の着用状態において、着用者の腸骨陵及び腸骨棘を覆う位置に配されている請求項１ないし４のいずれか一項に記載の使い捨て着用物品。
【請求項６】
着用者の前後方向に相当する縦方向とこれに直交する横方向とを有し、液保持性の吸収体を具備する吸収性本体と、該吸収性本体の非肌対向面側に配されてこれを固定している外装体とを備え、前身頃及び後身頃それぞれにおける該外装体の縦方向に沿う両側縁部どうしが接合されて一対のサイドシール部、ウエスト開口部及び一対のレッグ開口部が形成されている使い捨て着用物品であって、
前記外装体は、着用者の身体から相対的に遠い側に位置する外層シートと、着用者の身体に相対的に近い側に位置する第１内層シートと、該外層シート及び該第１内層シートの間に位置する第２内層シートとを含んで構成され、
前記第１及び第２内層シートは、前記前身頃及び前記後身頃のうちの少なくとも一方における少なくとも胴回り部に配置されており、
前記外層シートは、前記第１及び第２内層シートの縦方向の端縁よりも、縦方向の外方に延出した延出部位を有するとともに、該延出部位が前記ウエスト開口部の開口縁で折り返され、折り返された該延出部位が該第１内層シートと接合されており、
前記外層シートは、伸長可能な２枚の繊維シート間に、エラストマー樹脂からなるストランド又はフィルムが非伸長状態で配置固定された伸縮性シートからなり、
前記外層シートの前記延出部位が２回以上折り返され、それによって該ウエスト開口部の開口縁近傍においては、３枚以上の該外層シートが重なり合っており、
前記第１内層シートと前記第２内層シートとの間に、横方向に延びる弾性部材が配置されており、該弾性部材は伸長状態で両内層シートに固定され、それによって、該第１内層シートと、該第２内層シートと、該弾性部材とを有する複合弾性シートが前記胴周り部に形成されており、
前記第２内層シートと前記外層シートとは、前記サイドシール部において接合されているとともに、前記弾性部材が配された領域においては非接合状態になっており、
自然状態において、前記外層シートのうち、一対の前記サイドシール部の内端間の長さをＬ１とし、
自然状態において、前記複合弾性シートのうち、一対の前記サイドシール部の内端間において前記弾性部材が存在している部分の長さをＬ２としたとき、Ｌ１がＬ２と同じか又はＬ２がＬ１よりも短くなっている、使い捨て着用物品。
【請求項７】
着用者の前後方向に相当する縦方向とこれに直交する横方向とを有し、液保持性の吸収体を具備する吸収性本体と、該吸収性本体の非肌対向面側に配されてこれを固定している外装体とを備え、前身頃及び後身頃それぞれにおける該外装体の縦方向に沿う両側縁部どうしが接合されて一対のサイドシール部、ウエスト開口部及び一対のレッグ開口部が形成されている使い捨て着用物品であって、
前記外装体は、着用者の身体から相対的に遠い側に位置する外層シートと、着用者の身体に相対的に近い側に位置する第１内層シートと、該外層シート及び該第１内層シートの間に位置する第２内層シートとを含んで構成され、
前記第１及び第２内層シートは、前記前身頃及び前記後身頃のうちの少なくとも一方における少なくとも胴回り部に配置されており、
前記外層シートは、前記第１及び第２内層シートの縦方向の端縁よりも、縦方向の外方に延出した延出部位を有するとともに、該延出部位が前記ウエスト開口部の開口縁で折り返され、折り返された該延出部位が該第１内層シートと接合されており、
前記外層シートは、伸長可能な２枚の繊維シート間に、エラストマー樹脂からなるストランド又はフィルムが非伸長状態で配置固定された伸縮性シートからなり、
前記ウエスト開口部の開口縁及びその近傍に配置されている伸縮性材料が、前記外層シートのみであり、
前記第１内層シートと前記第２内層シートとの間に、横方向に延びる弾性部材が配置されており、該弾性部材は伸長状態で両内層シートに固定され、それによって、該第１内層シートと、該第２内層シートと、該弾性部材とを有する複合弾性シートが前記胴周り部に形成されており、
前記第２内層シートと前記外層シートとは、前記サイドシール部において接合されているとともに、前記弾性部材が配された領域においては非接合状態になっており、
自然状態において、前記外層シートのうち、一対の前記サイドシール部の内端間の長さをＬ１とし、
自然状態において、前記複合弾性シートのうち、一対の前記サイドシール部の内端間において前記弾性部材が存在している部分の長さをＬ２としたとき、Ｌ１がＬ２と同じか又はＬ２がＬ１よりも短くなっている、使い捨て着用物品。
【発明の詳細な説明】
【技術分野】
【０００１】
本発明は、パンツ型使い捨ておむつ等の使い捨て着用物品に関する。
【背景技術】
【０００２】
従来、パンツ型の使い捨ておむつにおいて、胴回り部に配する胴回り部弾性部材をおむつの外表面を形成する最外層シート以外の部材に固定し、その胴回り弾性部材と最外層シートとの間に非接合領域を設けることによって最外層シートの内方にギャザーを形成する一方、胴回り部の外表面にはギャザーが形成されないようにする技術が知られている（特許文献１参照）。この種のパンツ型の使い捨ておむつには胴回り部の外表面にギャザーが形成されていないので、すっきりとした外観を呈するという利点がある。
【先行技術文献】
【特許文献】
【０００３】
【特許文献１】特開２０１３−１７２８６２号公報
【発明の概要】
【発明が解決しようとする課題】
【０００４】
しかし、特許文献１に記載の技術のように、最外層シートの内方にギャザーを形成した場合、該ギャザーの収縮の程度によっては、収縮に起因して最外層シートがギャザーから過度に浮き上がってだぶつきが生じ、そのことが、おむつの外観の低下の一因になったり、装着感の低下の一因になったりすることがある。
【０００５】
したがって本発明の課題は、使い捨て着用物品の改良にあり、更に詳しくは着用状態での優れた外観と装着感とを両立させた使い捨て着用物品を提供することにある。
【課題を解決するための手段】
【０００６】
本発明は、着用者の前後方向に相当する縦方向とこれに直交する横方向とを有し、液保持性の吸収体を具備する吸収性本体と、該吸収性本体の非肌対向面側に配されてこれを固定している外装体とを備え、前身頃及び後身頃それぞれにおける該外装体の縦方向に沿う両側縁部どうしが接合されて一対のサイドシール部、ウエスト開口部及び一対のレッグ開口部が形成されている使い捨て着用物品であって、
前記外装体は、着用者の身体から相対的に遠い側に位置する外層シートと、着用者の身体に相対的に近い側に位置する第１内層シートと、該外層シート及び該第１内層シートの間に位置する第２内層シートとを含んで構成され、
前記第１及び第２内層シートは、前記前身頃及び前記後身頃のうちのいずれか一方における少なくとも胴回り部に配置されており、
前記外層シートは、前記第１及び第２内層シートの縦方向の端縁よりも、縦方向の外方に延出した延出部位を有するとともに、該延出部位が前記ウエスト開口部の開口縁で折り返され、折り返された該延出部位が該第１内層シートと接合されており、
前記外層シートは、伸長可能な２枚の繊維シート間に、エラストマー樹脂からなるストランド又はフィルムが非伸長状態で配置固定された伸縮性シートからなり、
前記第１内層シートと前記第２内層シートとの間に、横方向に延びる弾性部材が配置されており、該弾性部材は伸長状態で両内層シートに固定され、それによって、該第１内層シートと、該第２内層シートと、該弾性部材とを有する複合弾性シートが前記胴周り部に形成されており、
前記第２内層シートと前記外層シートとは、前記サイドシール部において接合されているとともに、前記弾性部材が配された領域においては非接合状態になっており、
自然状態において、前記外層シートのうち、一対の前記サイドシール部の内端間の長さをＬ１とし、
自然状態において、前記複合弾性シートのうち、一対の前記サイドシール部の内端間において前記弾性部材が存在している部分の長さをＬ２としたとき、Ｌ１がＬ２と同じか又はＬ２がＬ１よりも短くなっている、使い捨て着用物品を提供するものである。
【発明の効果】
【０００７】
本発明によれば、着用状態での優れた外観と装着感とを両立し得る使い捨て着用物品が提供される。
【図面の簡単な説明】
【０００８】
【図１】図１は、本発明の使い捨て着用物品の一実施形態であるパンツ型使い捨ておむつを模式的に示す斜視図である。
【図２】図２は、図１に示すおむつの展開かつ伸長状態における肌対向面側（内面側）を模式的に示す展開平面図である。
【図３】図３は、図２に示すIII−III線断面図である。
【図４】図４は、図２に示すIV−IV線断面図である。
【図５】図５は、図１に示すおむつの外装体を構成する伸縮性の外層シートの一部（腹側外層シート）の一例を模式的に示す一部破断斜視図である。
【図６】図６（ａ）は、図１に示すおむつにおける腹側外層シートの平面図であり、図６（ｂ）は、図１に示すおむつにおける複合弾性シートを含む部位の平面図である。
【発明を実施するための形態】
【０００９】
以下本発明を、その好ましい実施形態に基づき図面を参照しながら説明する。図１ないし図４には、本発明の使い捨て着用物品の一実施形態であるパンツ型使い捨ておむつ１が記載されている。おむつ１は、着用者の前後方向に相当する縦方向Ｘとこれに直交する横方向Ｙとを有する。おむつ１は、液保持性の吸収体２３を具備する吸収性本体２と、該吸収性本体２の非肌対向面側に配されて該吸収性本体２を固定している外装体３とを備える。おむつ１は、前身頃Ｆ及び後身頃Ｒを備える。前身頃Ｆ及び後身頃Ｒそれぞれにおける外装体３の縦方向Ｘに沿う両側縁部ＦＳ，ＲＳどうしを接合することで、おむつ１には、一対のサイドシール部Ｓ，Ｓ、並びに着用者の胴が通されるウエスト開口部ＷＨ、及び着用者の下肢が通される一対のレッグ開口部ＬＨ，ＬＨが形成されている。
【００１０】
図２及び図３に示すように、前身頃Ｆは、おむつ１を縦方向Ｘに二分する縦中心線Ｌｘを基準として、着用時に着用者の身体の前側（腹側）を覆う部分であり、後身頃Ｒは、着用者の身体の後側（背側）を覆う部分である。本明細書において、肌対向面とは、おむつ１及びその構成部材（例えば吸収性本体２）における、着用状態において着用者の肌側に向けられる面（着用者の肌に近い側）である。また、非肌対向面は、おむつ１及びその構成部材における、着用状態において着用者の肌側とは反対側に向けられる面（相対的に肌対向面よりも肌から遠い側）である。
【００１１】
おむつ１は、着用状態において着用者の腹側に配される腹側部１Ａ、背側に配される背側部１Ｃ、及びそれらの間に位置して着用者の股間部に配される股下部１Ｂを有している。おむつ１の縦方向Ｘは、前身頃Ｆと後身頃Ｒとの間を延びる方向、すなわち、腹側部１Ａと背側部１Ｃとの間を股下部１Ｂを介して延びる方向であり、吸収性本体２の長手方向に一致する。腹側部１Ａは前身頃Ｆの一部である。背側部１Ｃは後身頃Ｒの一部である。股下部１Ｂは前身頃Ｆと後身頃Ｒとに跨って存している。腹側部１Ａ及び背側部１Ｃは、いずれも縦方向Ｘにおいてサイドシール部Ｓと同位置にある部分であり、おむつ１の着用時に着用者の胴回りに配される胴回り部である。股下部１Ｂは、外装体３の縦方向Ｘに沿う両側縁部にレッグ開口部ＬＨ，ＬＨ形成用の凹欠部（レッグ縁部ＬＳ，ＬＳ）が形成されている領域である。股下部１Ｂは、おむつ１の着用時に着用者の排泄部に対向配置される排泄部対向部を有しており、該排泄部対向部は通常、おむつ１の縦方向Ｘの中央部（縦中心線Ｌｘ上）又はその近傍に位置している。
【００１２】
吸収性本体２は、図２及び図３に示すように平面視矩形形状を有している。吸収性本体２はその長手方向を、展開かつ伸長状態におけるおむつ１の縦方向Ｘに一致させて、横方向Ｙにおける外装体３の中央部に配置され、接着剤（図示せず）によって外装体３に接合されている。外装体３は、図２及び図３に示す如きおむつ１の展開かつ伸長状態のおむつ１の外形を形作っている。外装体３の周縁は、その状態のおむつ１の輪郭線を形成している。おむつ１の「展開かつ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に広げたときの寸法と同じ）となるまで広げた状態をいう。
【００１３】
吸収性本体２は、図４に示すように、肌対向面を形成する液透過性の表面シート２１、非肌対向面を形成する液不透過性若しくは液難透過性又は撥水性の裏面シート２２、及び両シート２１，２２間に介在配置された液保持性の吸収体２３を有しており、これらが接着剤等の公知の接合手段により一体化されて構成されている。表面シート２１及び裏面シート２２はそれぞれ、吸収体２３の周縁から外方に延出した延出部において直接的に又は他の部材（例えば後述する側方カフス２４）を介在させて互いに接合されており、吸収体２３を挟持・固定している。吸収体２３は、おむつ１（外装体３）の横方向Ｙの中央部に位置している。表面シート２１及び裏面シート２２としては、それぞれ、この種の吸収性物品に従来用いられている各種のものを特に制限なく用いることができる。例えば、表面シート２１としては各種の不織布や開孔フィルム等を用いることができる。裏面シート２２としては樹脂フィルムや、樹脂フィルムと不織布等とのラミネート等を用いることができる。
【００１４】
吸収体２３は、パルプ繊維等の繊維の集合体に吸水性ポリマーの粒子を保持させてなる吸収性コア２３１と、該吸収性コア２３１を被覆する紙や不織布等のコアラップシート２３２とから形成されている。吸収性コア２３１は、平面視において、縦方向Ｘの中央部が前後端部（縦方向Ｘ両端部）それぞれよりも横方向Ｙの長さ（幅）が短く、縦方向Ｘの中央部が括れた平面視砂時計状（ダンベル状）をなしている。吸収体２３は、吸収性コア２３１の全体をコアラップシート２３２によって一体的に被覆されて形成されている。吸収体２３は、平面視矩形形状に形成されている。
【００１５】
吸収性本体２の肌対向面における縦方向Ｙに沿う左右両側部には、図４に示すように、液抵抗性又は撥水性でかつ通気性のシート材２５から構成された側方カフス２４，２４が設けられている。各側方カフス２４の自由端部の近傍には糸状の側方カフス弾性部材２６が１本又は複数本伸長状態で配されている。各側方カフス２４は、伸長状態で配された側方カフス弾性部材２６がおむつ１の着用状態において収縮することによって少なくとも股下部１Ｂで起立し、液の側方への流出を阻止する。
【００１６】
外装体３は、図２に示すように、その縦方向Ｘに沿う両側縁が股下部１Ｂにおいて内向きの円弧状に湾曲して一対のレッグ縁部ＬＳ，ＬＳを形成しており、図２に示す如き平面視において、縦方向Ｘの中央域が横方向Ｙの内方に向けて括れた砂時計状の形状を有している。股下部１Ｂには、外装体３において横方向Ｙの長さが最も短い部位が存している。外装体３は、前身頃Ｆ（腹側部１Ａ）における縦方向Ｘに沿う両側縁部ＦＳ，ＦＳと後身頃Ｒ（背側部１Ｃ）における縦方向Ｘに沿う両側縁部ＲＳ，ＲＳとが、接着剤、ヒートシール、超音波シール等の公知の接合手段によって互いに接合されており、その接合によって、図１に示すように、おむつ１に一対のサイドシール部Ｓ，Ｓが形成され、更にウエスト開口部ＷＨ及び一対のレッグ開口部ＬＨ，ＬＨが形成されている。
【００１７】
外装体３は、図２及び図３に示すように、外層シート３１と、第１内層シート３２ａと、外層シート３１及び第１内層シート３２ａの間に位置する第２内層シート３２ｂとを含んで構成されている。おむつ１の着用状態において、外層シート３１は着用者の身体から相対的に遠い側に位置して、おむつ１の非肌対向面（外面）を形成している。第１内層シート３２ａは、着用者の身体に相対的に近い側に位置して、おむつ１の肌対向面（内面）を形成している。外層シート３１と第２内層シート３２ｂとの間は、後述する所定の部位を除き、接着剤によって接合されている。
【００１８】
図３に示すように、外層シート３１は複数枚のシートが組み合わされて構成されている。詳細には、外層シート３１は、腹側部１Ａを構成する腹側外層シート３１Ａと、背側部１Ｃを構成する背側外層シート３１Ｃと、両シート３１Ａ，３１Ｃ間に位置して股下部１Ｂを構成する股下外層シート３１Ｂとを含んで構成されている。外層シート３１を構成する各シート３１Ａ，３１Ｂ，３１Ｃは、それらの縦方向Ｘの端部どうしが重ね合わされ、その重ね合わせ部分において接着剤Ｈ１によって互いに接合され一体化されている。接合手段としては、接着剤Ｈ１の他に、例えばヒートシール、高周波シール、超音波シール等を採用してもよい。シート３１Ａ，３１Ｃとシート３１Ｂとの重ね合わせ部分においては、それぞれ、縦方向Ｘの中央に位置するシート３１Ｂが吸収性本体２から相対的に近い側に位置し、シート３１Ｂの縦方向Ｘの両端部の非肌対向面はシート３１Ａ，３１Ｃで被覆されている。
【００１９】
外装体３は、一対のレッグ開口部ＬＨ，ＬＨそれぞれの開口縁部にレッグギャザーを形成するレッグ弾性部材として、前身頃Ｆに伸長状態で配された１本又は複数本（本実施形態では複数本）の前側レッグ弾性部材３５と、後身頃Ｒに伸長状態で配された１本又は複数本（本実施形態では複数本）の後側レッグ弾性部材３６とを備えている。レッグ弾性部材３５，３６は、いずれも糸状又は帯状であり、外装体３を構成する外層シート３１と第２内層シート３２ｂとの間に接着剤により挟持固定されている。
【００２０】
前側レッグ弾性部材３５は、図２に示すように、前身頃Ｆにおける腹側部１Ａ（胴回り部）を構成する外装体３の両側縁部ＦＳ，ＦＳ（サイドシール部Ｓ）それぞれからレッグ開口部ＬＨの開口縁部であるレッグ縁部ＬＳに沿って縦方向Ｘの内方かつ横方向Ｙの内方に延びて吸収性本体２の縦方向Ｘに沿う側縁２Ｓに達し、吸収体（図示せず）と重なっている。すなわち、前側レッグ弾性部材３５の側縁部ＦＳ側とは反対側の端部は、吸収体の配置領域に位置している。
【００２１】
後側レッグ弾性部材３６は、図２に示すように、後身頃Ｒにおける背側部１Ｃ（胴回り部）を構成する外装体３の両側縁部ＲＳ，ＲＳ（サイドシール部Ｓ）それぞれからレッグ開口部ＬＨの開口縁部であるレッグ縁部ＬＳに沿って縦方向Ｘの内方かつ横方向Ｙの内方に延びて吸収性本体２の縦方向Ｘに沿う側縁２Ｓに達し、吸収体（図示せず）と重なっている。すなわち、後側レッグ弾性部材３６の側縁部ＲＳ側とは反対側の端部は、吸収体の配置領域に位置している。
【００２２】
第１及び第２内層シート３２ａ，３２ｂは前身頃Ｆ及び前記後身頃Ｒにおける少なくとも胴回り部に配置されている。詳細には以下のとおりである。第１内層シート３２ａは、前身頃Ｆ及び後身頃Ｒの双方に１枚ずつ配置されている。各第１内層シート３２ａは、縦方向Ｘの前後端に第１端縁３２１ａ及び第２端縁３２２ａを有する。第１端縁３２１ａは、第１内層シート３２ａの一部が吸収性本体２における縦方向Ｘの一方の端部上を覆うように、該吸収性本体２上に位置している。吸収性本体２の上に位置する第１内層シート３２ａは、該吸収性本体２と接着剤Ｈ２によって接合されている。第１内層シート３２ａは、第１端縁３２１ａの位置から、吸収性本体２の縦方向Ｘの端縁２ａを越えて縦方向Ｘの外方に向けて延びている。
【００２３】
第１内層シート３２ａが２枚配されているのとは対照的に、第２内層シート３２ｂは１枚配されている。第２内層シート３２ｂは、吸収性本体２の非肌対向面の全域を被覆し、かつ吸収性本体２の端縁２ａを越えて縦方向Ｘの外方に向けて延びている。このように、先に説明した第１内層シート３２ａは、その縦方向Ｘの長さが、第２内層シート３２ｂの縦方向Ｘの長さよりも短くなっている。そして、第２内層シート３２ｂは、前身頃Ｆから後身頃Ｒまでにわたって縦方向Ｘに延びている。
【００２４】
第１及び第２内層シート３２ａ，３２ｂとしては、それぞれ、各種製法による不織布が好ましく用いられる。そのような不織布として、例えばスパンボンド不織布、エアスルー不織布、スパンレース不織布、ニードルパンチ不織布等が挙げられる。不織布の構成繊維としては、例えば、ポリエチレン（ＰＥ）、ポリプロピレン（ＰＰ）、ポリエチレンテレフタレート（ＰＥＴ）やポリブチレンテレフタレート（ＰＢＴ）等のポリエステル、ポリアミド等からなる繊維等が挙げられる。不織布を構成する繊維は、短繊維でも長繊維でもよく、親水性でも撥水性でもよい。また、芯鞘型又はサイド・バイ・サイド型の複合繊維、分割繊維、異形断面繊維、捲縮繊維、熱収縮繊維等を用いることもできる。これらの繊維は、１種を単独で又は２種以上を組み合わせて用いることができる。
【００２５】
図３に示すとおり、第２内層シート３２ｂの縦方向Ｘの前後の端縁３２１ｂの位置は、第１内層シート３２ａの２つの端縁のうち、縦方向Ｘの外方寄りの端縁３２２ａの位置と概ね一致している。そして、第１内層シート３２ａと第２内層シート３２ｂとは、吸収性本体２の端縁２ａよりも縦方向Ｘの外方の位置において互いに対向している。両内層シート３２ａ，３２ｂの間には、おむつ１の横方向Ｙに沿って延びる糸状の弾性部材３３が複数本配置されている。弾性部材３３は、吸収性本体２を横切らないように配されていることが好ましく、少なくとも吸収性コア２３を横切らないように配されていることが好ましい。各弾性部材３３は伸長状態で両内層シート３２ａ，３２ｂに固定されている。固定には例えば接着剤を用いることができる。これによって、おむつ１の前身頃Ｆ及び後身頃Ｒにおける胴周り部には、吸収性本体２の端縁２ａよりも縦方向Ｘの外方の位置に、第１内層シート３２ａと、第２内層シート３２ｂと、弾性部材３３とを有する複合弾性シート３４が形成される。複合弾性シート３４は、おむつ１の着用状態において、該おむつ１を着用者の身体にフィットさせる目的で用いられる。胴周り部とは、前身頃Ｆ及び後身頃Ｒにおけるウエスト開口部ＷＨと、レッグ開口部ＬＨとの間の領域のことである。
【００２６】
複合弾性シート３４は、おむつ１におけるウエスト開口部ＷＨとレッグ開口部ＬＨとの間に、横方向Ｙに延びるように形成されている。特に複合弾性シート３４は、おむつ１の着用状態において、着用者の腸骨陵及び腸骨棘を覆う位置に配されていることが好ましい。これにより、複合弾性シート３４を腸骨領域に当接させて、着用状態におけるおむつ１のずれ落ちを効果的に防止することができる。
【００２７】
図２及び図３に示すように、腹側外層シート３１Ａは、第１及び第２内層シート３２ａ，３２ｂにおける縦方向Ｘの外方寄りの端縁３２２ａ，３２１ｂよりも、縦方向Ｘの外方に延出した腹側延出部３１ＡＥを有している。また、背側外層シート３１Ｃは、第１及び第２内層シート３２ａ，３２ｂにおける縦方向Ｘの外方寄りの端縁３２２ａ，３２１ｂよりも、縦方向Ｘの外方に延出した背側延出部３１ＣＥを有している。両延出部３１ＡＥ，３１ＣＥは、それぞれ、第１内層シート３２ａの縦方向Ｘにおける外方寄りの端縁３２２ａを含む端部域３２３ａを覆うように、ウエスト開口部ＷＨの開口縁の位置で、第１内層シート３２ａ側に折り返されている。折り返された両延出部３１ＡＥ，３１ＣＥは、前記の端部域３２３ａと対向し、両者の対向領域に接着剤Ｈ３が塗布されて両者が接合されている。
【００２８】
図３に示すように、腹側延出部３１ＡＥは、ウエスト開口部ＷＨの開口縁の位置で２回折り返されており、それによってウエスト開口部の開口縁近傍においては、３枚の該腹側外層シート３１Ａが重なり合っている。背側延出部３１ＣＥに関しても同様である。各延出部３１ＡＥ，３１ＣＥの折り返し回数は２回に限られず、３回以上であってもよいし、あるいは１回であってもよい。したがって、各外層シート３１Ａ，３１Ｃの重なり合いの枚数は３枚に限られず、２枚又は４枚以上であってもよい。ウエスト開口部ＷＨの開口縁近傍において各延出部３１ＡＥ，３１ＣＥが複数回折り返されていることで、伸縮性を有する各外層シート３１Ａ，３１Ｃによる着用者の腰回りのフィット性が向上する。したがって、この実施形態を採用する場合には、ウエスト開口部ＷＨの開口縁に沿って、横方向に延びる糸ゴム等の弾性部材を配さなくても、腰回りのフィット性を充分に高めることができる。つまり、ウエスト開口部ＷＨの開口縁及びその近傍に配置されている伸縮性材料は、各外層シート３１Ａ，３１Ｃのみとすることができる。こうすることで、各外層シート３１Ａ，３１Ｃのうち、後述する第２内層シート３２ｂとの非接合部位に大きな皺が発生したり、たるみが発生したりすることが効果的に抑制され、各外層シート３１Ａ，３１Ｃと第２内層シート３２ｂとの非接合状態と相まって、おむつ１の外観の印象が一層向上する。
【００２９】
本実施形態においては、外層シート３１を構成する腹側外層シート３１Ａ及び背側外層シート３１Ｃは少なくとも横方向Ｙに伸縮性を有していることが好ましい。これに対し、外層シート３１の残りの部分である股下外層シート３１Ｂ並びに第１及び第２内層シート３２ａ，３２ｂは伸縮性を有しておらず非伸縮性である。したがって、外装体３において、シート３１Ａ，３１Ｃを含む領域は横方向Ｙに伸縮性を有し、シート３１Ａ，３１Ｃを含まない領域は横方向Ｙに伸縮性を有していない。本実施形態においては、前身頃Ｆの胴回り部である腹側部１Ａは腹側外層シート３１Ａを含み、後身頃Ｒの胴回り部である背側部１Ｃは背側外層シート３１Ｃを含むから、腹側部１Ａ及び背側部１Ｃともに、横方向Ｙに伸縮性を有している。また本実施形態においては、腹側外層シート３１Ａが、腹側部１Ａと股下部１Ｂとの境界、すなわち、前身頃Ｆにおける一対のサイドシール部Ｓ，Ｓそれぞれの下端（縦方向Ｘの内方側の端部）を通って横方向Ｙに延びる仮想直線を越えて股下部１Ｂに延出し、背側外層シート３Ｃが、背側部１Ｃと股下部１Ｂとの境界、すなわち、後身頃Ｒにおける一対のサイドシール部Ｓ，Ｓそれぞれの下端（縦方向Ｘの内方側の端部）を通って横方向Ｙに延びる仮想直線を越えて股下部１Ｂに延出しているので、股下部１Ｂにおける両シート３１Ａ，３１Ｃのこれら延出部を含む部分、すなわち、股下部１Ｂにおける腹側部１Ａ及び背側部１Ｃ寄りの部分も、それぞれ横方向Ｙに伸縮性を有している。一方、股下部１Ｂにおける腹側部１Ａ及び背側部１Ｃ寄り以外の部分（股下部１Ｂの縦方向Ｘの中央部）は横方向Ｙに伸縮性を有していない。
【００３０】
シートが、ある方向に実質的に伸縮性を有しないとは、該シートに対して当該ある方向に引っ張る力を加えても、該シートが、ほとんど伸びないことを意味する。例えば、長さ１５×幅５ｃｍのサンプルに対して、該サンプルをテンシロン等の材料引っ張り試験機で長手方向に引っ張って、該サンプルが破断するときの破断伸度が１０％以下である場合、そのサンプルは、長手方向に実質的に伸縮性を有しない。なお破断伸度とは、（破断時の該サンプル長さ−該サンプルの元の長さ）／（該サンプルの元の長さ）×１００で算出することができる。
【００３１】
上述のとおり、腹側外層シート３１Ａ及び背側外層シート３１Ｃは、少なくとも横方向Ｙに伸縮性を有していることが好ましい。図５には、伸縮性の腹側外層シート３１Ａの一例が示されている。図５に示す腹側外層シート３１Ａは、非弾性繊維を主体とする伸長可能な繊維層の一面に糸状の弾性フィラメントが接合した構成を有するもので、該繊維層としての２枚の繊維シート４１，４２と、両シート４１，４２間に介在配置された該弾性フィラメントとしての弾性部材４３とを含んで構成されている。伸縮性の背側外層シート３１Ｃも図５に示す伸縮性の腹側外層シート３１Ａと同様に構成することができる。なお、図５において、糸状の弾性フィラメントに代えて、弾性フィルムを用いることもできる。特に腹側外層シート３１Ａ及び背側外層シート３１Ｃは、伸長可能な２枚の不織布間に、エラストマー樹脂からなるストランド又はフィルムが非伸長状態で配置固定された伸縮性シートからなることが好ましい。
【００３２】
伸長可能とは、（イ）２枚の不織布の構成繊維自体が伸長する場合と、（ロ）構成繊維自体は伸長しなくても、交点において結合していた繊維どうしが離れたり、繊維どうしの結合等により複数本の繊維で形成された立体構造が構造的に変化したり、構成繊維がちぎれたりして、２枚の不織布が全体として伸長する場合とを包含する。
【００３３】
腹側外層シート３１Ａを構成する弾性部材４３は、弾性樹脂が溶融又は軟化した状態で延伸されて形成された弾性フィラメントである。複数の弾性部材４３は、それぞれ、シート３１Ａの全長（外装体３の横方向Ｙの全長）にわたって実質的に連続している。複数の弾性部材４３は、互いに交差せずに一方向（横方向Ｙ）に延びるように配列している。弾性部材４３は、実質的に非伸長状態で２枚のシート４１，４２に接合されている。腹側外層シート３１Ａにおける弾性部材４３とシート４１，４２との接合は、シート４１，４２を構成する繊維（非弾性繊維）が弾性部材４３中に埋没した状態で該弾性部材４３に融着することによりなされたものであることが好ましく、ホットメルト型接着剤等の接着剤を用いてなされたものではないことが好ましい。したがって、シート４１，４２（非弾性繊維を主体とする伸長可能な繊維層）とこれに接合されている弾性部材４３との間には接着剤が存在しないことが好ましい。
【００３４】
腹側外層シート３１Ａは、弾性部材４３の延びる方向（横方向Ｙ）と同方向に伸縮可能になっている。シート３１Ａの伸縮性は、弾性部材４３の弾性に起因して発現する。シート３１Ａを弾性部材４３の延びる方向と同方向に引き伸ばすと、弾性部材４３及びシート４１，４２が伸長する。そしてシート３１Ａの引き伸ばしを解除すると、弾性部材４３が収縮し、その収縮に連れてシート４１，４２が引き伸ばし前の状態に復帰する。また、シート３１Ａにおいては、弾性部材４３と直交した状態で結合している他の弾性部材は存在していないので、シート３１Ａを、弾性部材４３の延びる方向（横方向Ｙ）と同方向に引き伸ばしたときには、該シート３１Ａが横方向Ｙに縮む、いわゆる幅縮みをほとんど起こさずに伸長する。
【００３５】
腹側外層シート３１Ａを構成する２枚のシート４１，４２は、それぞれ短繊維の不織布であり得る。不織布としては、エアスルー不織布、ヒートロール不織布、スパンレース不織布、スパンボンド不織布、メルトブローン不織布等が挙げられる。シート４１とシート４２とは、同種のものでもよく、あるいは異種のものでもよい。ここで言う、「同種のシート」とは、シートの製造プロセス、シートの構成繊維の種類、構成繊維の繊維径や長さ、シートの厚みや坪量等がすべて同じであるシートどうしを意味する。これらのうちの少なくとも一つが異なる場合には、「異種のシート」である。
【００３６】
腹側外層シート３１Ａを構成する弾性部材４３（弾性フィラメント）は、例えば熱可塑性エラストマーやゴム等を原料とするものである。特に熱可塑性エラストマーを原料として用いると、通常の熱可塑性樹脂と同様に押出機を用いた溶融紡糸が可能であり、またそのようにして得られた弾性フィラメントは熱融着させやすいので、腹側外層シート３１Ａに好適である。熱可塑性エラストマーとしては、例えばＳＢＳ（スチレン−ブタジエン−スチレン）、ＳＩＳ（スチレン−イソプレン−スチレン）、ＳＥＢＳ（スチレン−エチレン−ブタジエン−スチレン）、ＳＥＰＳ（スチレン−エチレン−プロピレン−スチレン）等のスチレン系エラストマー、オレフィン系エラストマー（エチレン系のα−オレフィンエラストマー、エチレン・ブテン・オクテン等を共重合したプロピレン系エラストマー）、ポリエステル系エラストマー、ポリウレタン系エラストマー等が挙げられる。これらの熱可塑性エラストマーは、１種を単独で又は２種以上を組み合わせて用いることができる。また、これらの熱可塑性エラストマーからなる芯鞘型又はサイド・バイ・サイド型の複合繊維を用いることもできる。
【００３７】
伸縮性を有する上述の腹側外層シート３１Ａ及び背側外層シート３１Ｃは、例えば特開２００９−６１７４３号公報に記載の方法に従って製造することができる。具体的には、溶融したエラストマー樹脂を２枚の不織布の間にストランド状又はシート状に供給し、これらを一体化して複合シート材料を形成し、該複合シート材料を一対の歯溝ロール間に噛み込ませて、前記エラストマー樹脂の供給方向と同方向に延伸させることで得ることができる。この歯溝ロールは、ロールの軸線方向に延びる歯と溝とを、ロールの回転方向に交互に有するものである。
【００３８】
図３に示すとおり、腹側及び背側外層シート３１Ａ，３１Ｃと、第２内層シート３２ｂとは、弾性部材３３が配された領域において直接に対向しており、その領域において両者の間に他の部材は介在していない。そして、腹側及び背側外層シート３１Ａ，３１Ｃと、第２内層シート３２ｂとは、弾性部材３３が配された領域において非接合状態になっている。つまり各外層シート３１Ａ，３１Ｃは、第２内層シート３２ｂの動きに追従することなく、独立して動くことができる。その結果、各外層シート３１Ａ，３１Ｃは、第２内層シート３２ｂを含む複合弾性シート３４の伸縮に追従しないので、該複合弾性シート３４の収縮によって発生するシャーリングが各外層シート３１Ａ，３１Ｃに転写されにくくなる。したがって、各外層シート３１Ａ，３１Ｃの配置部位において、おむつ１はすっきりとした外観を呈する。しかも、各外層シート３１Ａ，３１Ｃは、それ自体が伸縮性を有しているので、複合弾性シート３４の収縮時に各外層シート３１Ａ，３１Ｃが複合弾性シート３４から意図せず浮き上がってたるんでしまうという不都合も起こりにくい。このことによっても、おむつ１はすっきりとした外観を呈する。
【００３９】
上述のとおり、各外層シート３１Ａ，３１Ｃと第２内層シート３２ｂとは、弾性部材３３が配された領域において非接合状態になっている。しかしサイドシール部Ｓにおいては、両者は接合されている。また、弾性部材３３が配されていない領域、例えば股下部１Ｃにおいては、外層シート３１の一部である股下外層シート３１Ｂと第２内層シート３２ｂとが、接着剤等の接合手段によって接合されている。
【００４０】
図６（ａ）は、図２に示す展開状態のおむつ１から、腹側外層シート３１Ａのみを取り出した状態を示している。なお、背側外層シート３１Ｃについての図示は省略するが、腹側外層シート３１Ａと同様の構成を有している。一方、図６（ｂ）は、図２に示す展開状態のおむつ１から、複合弾性シート３４を含む部位のみを取り出した状態を示している。図６（ａ）及び図６（ｂ）に示す状態は、おむつの自然状態である。つまり、伸縮性を有する部材である腹側外層シート３１Ａや弾性部材３３等を張り延ばして広げた状態ではなく、腹側外層シート３１Ａや弾性部材３３等に外力を加えずに、これらが弛緩した状態が示されている。この状態において、腹側外層シート３１Ａのうち、一対のサイドシール部Ｓ，Ｓの内端間の長さをＬ１と定義する（図６（ａ）参照）。また、この状態において、複合弾性シート３４のうち、一対のサイドシール部Ｓ，Ｓの内端間において弾性部材３３が存在している部分の長さをＬ２と定義する。本実施形態においては、Ｌ１とＬ２とが特定の大小関係を有している。具体的には、Ｌ１がＬ２と同じか又は、Ｌ２がＬ１よりも短くなっている。Ｌ１とＬ２とがこのような関係を満たすことで、おむつ１の着用状態において複合弾性シート３４が収縮してシャーリングが発生しても、そのシャーリングが腹側外層シート３１Ａに転写されにくくなり、大きな縦皺が腹側外層シート３１Ａに発生することが効果的に抑制される。また、腹側外層シート３１Ａにたるみが生じることが効果的に抑制される。このような有利な効果を一層顕著なものとする観点から、Ｌ２はＬ１の０．７倍以上、特に０．７５倍以上であることが好ましい。また、Ｌ２はＬ１の１倍以下、特に０．９５倍以下であることが好ましい。例えばＬ２はＬ１の０．７倍以上１倍以下であることが好ましく、０．７５倍以上０．９５倍以下であることが更に好ましい。
【００４１】
上述のＬ１とＬ２との関係は、腹側外層シート３１Ａと複合弾性シート３４、及び背側外層シート３１Ｃと複合弾性シート３４の双方で成立することが最も好ましい。しかし、これらのうちのいずれか一方で成立すれば、本発明の所期の目的は達成される。
【００４２】
Ｌ１及びＬ２の長さは、各外層シート３１Ａ，３１Ｅに用いられるエラストマー樹脂の種類や、複合弾性シート３４に配される弾性部材の太さ及び伸長倍率等を適切に調整することで達成される。
【００４３】
Ｌ１及びＬ２の長さは次の方法で測定される。対象となるおむつのサイドシール部を切り開き、おむつを展開状態とする。先ず、サイドシールパターンの幅方向内側部分を繋いだ直線に沿って、ハサミなどを用いてサイドシール部を切り開く。展開状態となったおむつから、腹側外層シート３１Ａ、背側外層シート３１Ｃ、複合弾性シート３４（弾性部材３３並びに第１及び第２内層シート３２ａ、３２ｂを含むシート）を取り出す。この取り出しは、腹側外層シート３１Ａと複合弾性シート３４のみが重なっている部分、及び背側外層シート３１Ｃと複合弾性シート３４のみが重なっている部分の、胴回り開口側及び股下側それぞれをハサミなどで直線状に切断することで行う。取り出された腹側外層シート３１Ａ及び背側外層シート３１Ｃ、並びに複合弾性シート３４を平坦な水平面上に載置し、自然状態とする。この状態下に、腹側外層シート３１Ａ及び背側外層シート３１については、サイドシール部Ｓ，Ｓの内端間の長さＬ１を測定する。複合弾性シート３４については、サイドシール部Ｓ，Ｓの内端間において、弾性部材３３が存在している部分の長さＬ２を測定する。弾性部材３３が複数配されていて、かつそれらの長さが異なる場合には、長さが最も長い弾性部材３３の当該長さをもってＬ２とする。
【００４４】
腹側及び背側外層シート３１Ａ，３１Ｅに皺が一層生じにくく、またこれらの外層シート３１Ａ，３１Ｅにたるみが一層生じにくくするために、これらの外層シート３１Ａ，３１Ｅの単位幅当たりの１．５倍伸長時応力Ｓ１が、複合弾性シート３４の単位幅当たりの１．５倍伸長時応力Ｓ２と同じであるか又はＳ２をＳ１よりも高くすることが好ましい。この観点から、Ｓ２は、Ｓ１の１．０倍以上、特に１．０５倍以上であることが好ましく、１．３倍以下、特に１．２５倍以下であることが更に好ましい。具体的には、Ｓ２は、Ｓ１の１．０倍以上１．３倍以下であることが好ましく、１．０５倍以上１．２５倍以下であることが更に好ましい。
【００４５】
シートの単位幅当たりの１．５倍伸長時応力Ｓ１、Ｓ２は次の方法で測定される。おむつ１の長さ方向に沿って５ｃｍ、幅方向に沿って１０ｃｍの寸法にシートを切り取ったものを測定サンプルとし、そのサンプルを、チャック間を５ｃｍに設定した伸長応力測定装置に、１０ｃｍ切り取った側が離間するように設置する。次いで、チャック間を７．５ｃｍまで離間させ、そのときの応力を１．５倍伸長時応力として記録する。伸長応力測定装置としては、島津製作所製オートグラフＡＧ−ＩＳを使用する。
【００４６】
以上、本発明をその好ましい実施形態に基づき説明したが、本発明は前記実施形態に制限されない。例えば前記実施形態においては、前身頃Ｆ及び後身頃Ｒのいずれにおいても、第１内層シート３２ａと、第２内層シート３２ｂと、弾性部材とを有する複合弾性シートが形成されていたが、これに代えて、前身頃Ｆ及び後身頃Ｒのいずれか一方にのみ、複合弾性シートを形成してもよい。
【００４７】
また前記実施形態においては、外層シート３１は複数枚のシート３１Ａ，３１Ｂ，３１Ｃが組み合わされて構成されていたが、これに代えて、１枚の連続したシートから外層シートが構成されていてもよい。
【００４８】
また、外装体３が、腹側部に位置する外装体腹側領域及び背側部に位置する外装体背側領域に分割されており、吸収性本体２が、前記外装体腹側領域及び前記外装体背側領域に架け渡して固定されていてもよい。
【００４９】
また、前記の実施形態は、本発明の使い捨て着用物品には、パンツ型使い捨ておむつに適用したものであるが、本発明をこれ以外の着用物品、例えばテープ型使い捨ておむつ等の吸収性物品等に適用してもよい。
【００５０】
上述した実施形態に関し、本発明は更に以下の使い捨て着用物品を開示する。
＜１＞
着用者の前後方向に相当する縦方向とこれに直交する横方向とを有し、液保持性の吸収体を具備する吸収性本体と、該吸収性本体の非肌対向面側に配されてこれを固定している外装体とを備え、前身頃及び後身頃それぞれにおける該外装体の縦方向に沿う両側縁部どうしが接合されて一対のサイドシール部、ウエスト開口部及び一対のレッグ開口部が形成されている使い捨て着用物品であって、
前記外装体は、着用者の身体から相対的に遠い側に位置する外層シートと、着用者の身体に相対的に近い側に位置する第１内層シートと、該外層シート及び該第１内層シートの間に位置する第２内層シートとを含んで構成され、
前記第１及び第２内層シートは、前記前身頃及び前記後身頃のうちのいずれか一方における少なくとも胴回り部に配置されており、
前記外層シートは、前記第１及び第２内層シートの縦方向の端縁よりも、縦方向の外方に延出した延出部位を有するとともに、該延出部位が前記ウエスト開口部の開口縁で折り返され、折り返された該延出部位が該第１内層シートと接合されており、
前記外層シートは、伸長可能な２枚の繊維シート間に、エラストマー樹脂からなるストランド又はフィルムが非伸長状態で配置固定された伸縮性シートからなり、
前記第１内層シートと前記第２内層シートとの間に、横方向に延びる弾性部材が配置されており、該弾性部材は伸長状態で両内層シートに固定され、それによって、該第１内層シートと、該第２内層シートと、該弾性部材とを有する複合弾性シートが前記胴周り部に形成されており、
前記第２内層シートと前記外層シートとは、前記サイドシール部において接合されているとともに、前記弾性部材が配された領域においては非接合状態になっており、
自然状態において、前記外層シートのうち、一対の前記サイドシール部の内端間の長さをＬ１とし、
自然状態において、前記複合弾性シートのうち、一対の前記サイドシール部の内端間において前記弾性部材が存在している部分の長さをＬ２としたとき、Ｌ１がＬ２と同じか又はＬ２がＬ１よりも短くなっている、使い捨て着用物品。
【００５１】
＜２＞
前記外層シートの単位幅当たりの１．５倍伸長時応力Ｓ１が、前記複合弾性シートの単位幅当たりの１．５倍伸長時応力Ｓ２と同じか又はＳ２がＳ１よりも高くなっている前記＜１＞に記載の使い捨て着用物品。
＜３＞
前記第１内層シートの縦方向の長さが、前記第２内層シートの縦方向の長さよりも短く、
前記第２内層シートが前記前身頃から前記後身頃までにわたって縦方向に延びている前記＜１＞又は＜２＞に記載の使い捨て着用物品。
＜４＞
前記外層シートが、溶融したエラストマー樹脂を２枚の不織布の間にストランド状又はシート状に供給し、これらを一体化して複合シート材料を形成し、該複合シート材料を一対の歯溝ロール間に噛み込ませて、前記エラストマー樹脂の供給方向と同方向に延伸させて得られたものである前記＜１＞ないし＜３＞のいずれか１に記載の使い捨て着用物品。
＜５＞
前記複合弾性シートが、前記使い捨て着用物品の着用状態において、着用者の腸骨陵及び腸骨棘を覆う位置に配されている前記＜１＞ないし＜４＞のいずれか１に記載の使い捨て着用物品。
＜６＞
前記外層シートの前記延出部位が２回以上折り返され、それによって該ウエスト開口部の開口縁近傍においては、３枚以上の該外層シートが重なり合っている前記＜１＞ないし＜５＞のいずれか１に記載の使い捨て着用物品。
【００５２】
＜７＞
前記ウエスト開口部の開口縁及びその近傍に配置されている伸縮性材料が、前記外層シートのみである前記＜１＞ないし＜６＞のいずれか１に記載の使い捨て着用物品。
＜８＞
前記外層シートは、腹側部を構成する腹側外層シートと、背側部を構成する背側外層シートと、両シート間に位置して股下部を構成する股下外層シートとを含んで構成され、前記腹側外層シートと前記背側外層シートとが前記伸縮性シートからなり、前記股下外層シートは伸縮性を有しておらず非伸縮性である前記＜１＞ないし＜７＞のいずれか１に記載の使い捨て着用物品。
＜９＞
前記第１内層シートは、前記前身頃及び前記後身頃の双方に１枚ずつ配置されている前記＜１＞ないし＜８＞のいずれか１に記載の使い捨て着用物品。
＜１０＞
前記第１内層シートは、前記前身頃及び前記後身頃の双方に１枚ずつ配置されており、
前記第１内層シートは、前記縦方向の前後端に第１端縁及び第２端縁を有し、該第１端縁は、前記第１内層シートの一部が前記吸収性本体における前記縦方向の一方の端部上を覆うように、該吸収性本体上に位置している前記＜１＞ないし＜９＞のいずれか１に記載の使い捨て着用物品。（段落００２２）
＜１１＞
前記第１内層シートは、前記前身頃及び前記後身頃の双方に１枚ずつ配置されており、
前記第１内層シートは、前記縦方向の前後端に第１端縁及び第２端縁を有し、該第１端縁は、前記第１内層シートの一部が前記吸収性本体における前記縦方向の一方の端部上を覆うように、該吸収性本体上に位置しており、
前記吸収性本体の上に位置する前記第１内層シートは、該吸収性本体と接合されている前記＜１＞ないし＜１０＞のいずれか１に記載の使い捨て着用物品。
【００５３】
＜１２＞
前記第１内層シートは、前記前身頃及び前記後身頃の双方に１枚ずつ配置されており、
前記第１内層シートは、前記縦方向の前後端に第１端縁及び第２端縁を有し、該第１端縁は、前記第１内層シートの一部が前記吸収性本体における前記縦方向の一方の端部上を覆うように、該吸収性本体上に位置しており、
前記第１内層シートは、前記第１端縁の位置から、前記吸収性本体の前記縦方向の端縁を越えて前記縦方向の外方に向けて延びている前記＜１＞ないし＜１１＞のいずれか１に記載の使い捨て着用物品。
＜１３＞
前記第２内層シートは、前記吸収性本体の非肌対向面の全域を被覆し、かつ前記吸収性本体の端縁を越えて前記縦方向の外方に向けて延びている前記＜１＞ないし＜１２＞のいずれか１に記載の使い捨て着用物品。
＜１４＞
前記第２内層シートの縦方向の前後の端縁の位置は、前記第１内層シートの２つの端縁のうち、縦方向の外方寄りの端縁の位置と概ね一致している前記＜１＞ないし＜１３＞のいずれか１に記載の使い捨て着用物品。
＜１５＞
前記第１内層シートと前記第２内層シートとの間には複数本の前記弾性部材が配されている前記＜１＞ないし＜１４＞のいずれか１に記載の使い捨て着用物品。
＜１６＞
前記弾性部材は、前記吸収性本体を横切らないように配されている前記＜１＞ないし＜１５＞のいずれか１に記載の使い捨て着用物品。
【００５４】
＜１７＞
前記複合弾性シートは、前記ウエスト開口部と前記レッグ開口部との間に、横方向に延びるように形成されている前記＜１＞ないし＜１６＞のいずれか１に記載の使い捨て着用物品。
＜１８＞
前記外層シートは、腹側部を構成する腹側外層シートと、背側部を構成する背側外層シートと、両シート間に位置して股下部を構成する股下外層シートとを含んで構成され、
前記腹側外層シートが、前記前身頃における一対の前記サイドシール部それぞれの下端（縦方向Ｘの内方側の端部）を通って前記横方向に延びる仮想直線を越えて股下部に延出し、
前記背側外層シートが、前記後身頃における一対の前記サイドシール部それぞれの下端（縦方向Ｘの内方側の端部）を通って横方向に延びる仮想直線を越えて股下部に延出している前記＜１＞ないし＜１７＞のいずれか１に記載の使い捨て着用物品。
＜１９＞
前記外層シートと、前記第２内層シートとが、前記弾性部材が配された領域において直接に対向しており、その領域において両者の間に他の部材は介在していない前記＜１＞ないし＜１８＞のいずれか１に記載の使い捨て着用物品。
＜２０＞
前記股下部において、前記外層シートと前記第２内層シートとが接合されている前記＜１＞ないし＜１９＞のいずれか１に記載の使い捨て着用物品。
＜２１＞
Ｌ２はＬ１の０．７倍以上、特に０．７５倍以上であることが好ましく、またＬ２はＬ１の１倍以下、特に０．９５倍以下であることが好ましく、Ｌ２はＬ１の０．７倍以上１倍以下であることが好ましく、０．７５倍以上０．９５倍以下であることが更に好ましい前記＜１＞ないし＜２０＞のいずれか１に記載の使い捨て着用物品。
【００５５】
＜２２＞
前記複合弾性シートの単位幅当たりの１．５倍伸長時応力Ｓ２は、前記外層シートの単位幅当たりの１．５倍伸長時応力Ｓ１の１．０倍以上、特に１．０５倍以上であることが好ましく、１．３倍以下、特に１．２５倍以下であることが更に好ましく、Ｓ２は、Ｓ１の１．０倍以上１．３倍以下であることが好ましく、１．０５倍以上１．２５倍以下であることが更に好ましい前記＜１＞ないし＜２１＞のいずれか１に記載の使い捨て着用物品。
＜２３＞
吸収性本体は、肌対向面を形成する液透過性の表面シート、非肌対向面を形成する裏面シート、及び両シート間に介在配置された液保持性の吸収体を有する前記＜１＞ないし＜２２＞のいずれか１に記載の使い捨て着用物品。
＜２４＞
前記外装体は、一対の前記レッグ開口部それぞれの開口縁部に、前身頃に伸長状態で配された１本又は複数本の前側レッグ弾性部材と、後身頃に伸長状態で配された１本又は複数本の後側レッグ弾性部材とを備えており、該レッグ弾性部材は、前記外層シートと前記第２内層シートとの間に挟持固定されている前記＜１＞ないし＜２３＞のいずれか１に記載の使い捨て着用物品。
＜２５＞
前記外装体は、一対の前記レッグ開口部それぞれの開口縁部に、前身頃に伸長状態で配された１本又は複数本の前側レッグ弾性部材と、後身頃に伸長状態で配された１本又は複数本の後側レッグ弾性部材とを備えており、
前記前側レッグ弾性部材は、前身頃における胴回り部を構成する外装体の両側縁部それぞれから前記レッグ開口部の開口縁部であるレッグ縁部に沿って縦方向の内方かつ横方向の内方に延びて前記吸収性本体の縦方向に沿う側縁に達している前記＜１＞ないし＜２４＞のいずれか１に記載の使い捨て着用物品。
＜２６＞
前記外装体は、一対の前記レッグ開口部それぞれの開口縁部に、前身頃に伸長状態で配された１本又は複数本の前側レッグ弾性部材と、後身頃に伸長状態で配された１本又は複数本の後側レッグ弾性部材とを備えており、
前記後側レッグ弾性部材は、後身頃における胴回り部を構成する外装体の両側縁部それぞれから前記レッグ開口部の開口縁部であるレッグ縁部に沿って縦方向の内方かつ横方向の内方に延びて前記吸収性本体の縦方向に沿う側縁に達している前記＜１＞ないし＜２５＞のいずれか１に記載の使い捨て着用物品。
【００５６】
＜２７＞
前記第１内層シート及び前記第２内層シートは、それぞれ、スパンボンド不織布、エアスルー不織布、スパンレース不織布、ニードルパンチ不織布のいずれかのうちの少なくとも一つである前記＜１＞ないし＜２６＞のいずれか１に記載の使い捨て着用物品。
＜２８＞
パンツ型使い捨ておむつである前記＜１＞ないし＜２７＞のいずれか１に記載の使い捨て着用物品。
【符号の説明】
【００５７】
１  パンツ型使い捨ておむつ
１Ａ  腹側部
１Ｂ  股下部
１Ｃ  背側部
２  吸収性本体
２ａ  端縁
２１  表面シート
２２  裏面シート
２３  吸収性コア
２４  側方カフス
３  外装体
３１  外層シート
３１Ａ  腹側外層シート
３１Ｂ  股下外層シート
３１Ｃ  背側外層シート
３２ａ  第１内層シート
３２ｂ  第２内層シート
３３  弾性部材
３４  複合弾性シート
３５  前側レッグ弾性部材
３６  後側レッグ弾性部材
Ｘ  縦方向
Ｙ  横方向
Ｆ  前身頃
Ｒ  後身頃
【図１】
0006431761.tif 000002
【図２】
0006431761.tif 000003
【図３】
0006431761.tif 000004
【図４】
0006431761.tif 000005
【図５】
0006431761.tif 000006
【図６】
0006431761.tif 000007